(57)【要約】【課題】器具本体を天井等から吊り下げた状態で角度を調整できるＬＥＤ照明器具を提供する。【解決手段】実施形態のＬＥＤ照明器具は、一方側に光源取付面が、他方側に放熱フィンを有する本体と、前記光源取付面に取り付けられたＬＥＤ（Light Emitting Diode）モジュールと、前記光源取付面の反対側に延びた一対の縦板部と、前記一対の縦板部の間をつなぐ横板部と、を有する吊り下げアングルと、前記本体と前記アングルの横板部間に配設される電源部と；を有する。【選択図】図１
2015213092.tif 000002
【特許請求の範囲】
【請求項１】
一方側に光源取付面が、他方側に放熱フィンを有する本体と、
前記光源取付面に取り付けられたＬＥＤ（Light Emitting Diode）モジュールと、
前記光源取付面の反対側に延びた一対の縦板部と、前記一対の縦板部の間をつなぐ横板
部と、を有する吊り下げアングルと、
前記本体と前記アングルの横板部間に配設される電源部と；
を有していることを特徴とするＬＥＤ照明器具。
【請求項２】
前記アングル支持突部及び前記アングル取付孔は、前記光源取付面の反対側であって、且つ前記本体の外周側に設けられた請求項１に記載のＬＥＤ照明器具。
【発明の詳細な説明】
【技術分野】
【０００１】
実施形態は、ＬＥＤ（Light Emitting Diode）を光源に用いたＬＥＤ照明器具に関する。
【背景技術】
【０００２】
ＬＥＤは、長寿命、低消費電力、耐衝撃性、高速応答性、高純度表示色、軽薄短小化の実現等の特徴から、産業分野のみならず一般照明用としても普及が進んでいる。また、器具本体に固定されたアングルを介して、器具本体を天井から吊り下げたＬＥＤ照明器具が知られている。
【先行技術文献】
【特許文献】
【０００３】
【特許文献１】特開２０１１−８６５６０号公報
【発明の概要】
【発明が解決しようとする課題】
【０００４】
器具本体を天井等から吊り下げた状態で角度を調整できるＬＥＤ照明器具を提供する。
【課題を解決するための手段】
【０００５】
実施形態のＬＥＤ照明器具は、一方側に光源取付面が、他方側に放熱フィンを有する本体と、前記光源取付面に取り付けられたＬＥＤ（Light Emitting Diode）モジュールと、前記光源取付面の反対側に延びた一対の縦板部と、前記一対の縦板部の間をつなぐ横板部と、を有する吊り下げアングルと、前記本体と前記アングルの横板部間に配設される電源部と；を有する。
【発明の効果】
【０００６】
本発明によれば、器具本体の安定した角度調整が可能である。
【図面の簡単な説明】
【０００７】
【図１】実施形態のＬＥＤ照明器具の外観斜視図。
【図２】実施形態のＬＥＤ照明器具の本体における光源取付面側の平面図。
【図３】同本体における放熱フィン側の斜視図。
【図４】同本体の側面図。
【図５】実施形態のＬＥＤ照明器具におけるＬＥＤモジュールの平面図。
【図６】（ａ）は複数のＬＥＤモジュールに重ね合わされた複数の反射板の平面図であり、（ｂ）は１つのＬＥＤモジュールに重ね合わされた１つの反射板の平面図。
【図７】実施形態のＬＥＤモジュールがアングルを介して天井から取り下げられた状態を示す模式側面図。
【図８】天井に対するアングルの取付例を示す模式図。
【図９】アングルを天井から１点吊りするための補強金具の斜視図。
【図１０】実施形態のＬＥＤ照明器具及びそれに取り付けられるガードの斜視図。
【図１１】図１０のガードが取り付けられた実施形態のＬＥＤ照明器具の斜視図。
【図１２】図１０のガードをＬＥＤ照明器具に取り付ける取付方法を説明するための模式斜視図。
【発明を実施するための形態】
【０００８】
以下、図面を参照し、実施形態について説明する。なお、各図面中、同じ要素には同じ符号を付している。
【０００９】
図１は、実施形態のＬＥＤ照明器具１の外観斜視図である。
【００１０】
実施形態のＬＥＤ照明器具１は、本体２と、ＬＥＤモジュール３（図５に示す）と、反射板４（図６（ａ）及び（ｂ）に示す）と、電源ユニット５と、吊り下げアングル（以下、単にアングルともいう）６と、を備えている。
【００１１】
実施形態のＬＥＤ照明器具１は、消費電力が例えば１００〜５００Ｗの大型照明器具である。ＬＥＤ照明器具１は、アングル６を介して、例えば体育館などの高天井、あるいはその天井から吊り下げられた昇降部などに取り付けられる。
【００１２】
まず、本体２について説明する。
【００１３】
図２は、本体２の光源取付面１１側の平面図である。  
【００１４】
図３は、本体２の光源取付面１１の反対側の放熱フィン１５側の斜視図である。  
【００１５】
図４（ａ）は、図３におけるＸ方向から見た側面図であり、図４（ｂ）は、図３におけるＹ方向から見た側面図である。
【００１６】
本体２は、円形のプレート１３を有する。そのプレート１３における一方の面側は、浅底の皿状に形成され、その底面に光源取付面１１が形成されている。光源取付面１１の外周縁部には、光源取付面１１よりも図２において紙面手前側に突出する環状のリム１４が設けられている。
【００１７】
プレート１３における他方の面は放熱面１２として機能し、その放熱面１２には複数の放熱フィン１５が設けられている。複数の放熱フィン１５は、放熱面１２に対して垂直（この方向をＺ方向として表す）に、光源取付面１１の反対側に突出している。
【００１８】
図１及び図３において、Ｚ方向に対して直交するＸＹ平面は、放熱面１２に対して平行な面を表す。Ｘ方向及びＹ方向は、互いに直交する。そして、すべての放熱フィン１５は、同じ方向であるＹ方向に延びている。
【００１９】
本体２は、例えば、アルミニウムまたはアルミニウムを主成分として含む金属をダイキャスト法で成型してなり、プレート１３及び放熱フィン１５は一体に設けられている。また、プレート１３及び放熱フィン１５を含む本体２の全表面は、放熱性を向上させるために、例えばアルマイト処理によりアルミニウムの酸化皮膜が形成されている。
【００２０】
プレート１３の中心には、貫通孔１３ａが形成されている。したがって、図２に示すよ
【００２１】
うに、光源取付面１１は、貫通孔１３ａの周囲に環状に形成されている。光源取付面１１には、複数のネジ孔２４が形成されている。
【００２２】
次に、図５を参照して、ＬＥＤモジュール３について説明する。
【００２３】
ＬＥＤモジュール３は、基板３１と、基板３１の実装面に実装されたＬＥＤ素子３２とを有する。１枚の基板３１上には、複数（図５に示す例では３０個）のＬＥＤ素子３２が実装されている。複数のＬＥＤ素子３２は、例えば３つごとに集合して実装されている。
【００２４】
ＬＥＤ素子３２の素子基板（またはパッケージ基板）と、ＬＥＤモジュール３の基板３１とは、熱膨張率が同じか、あるいは近いことが好ましい。例えば、ＬＥＤ素子３２の素子基板がセラミック基板の場合には、基板３１としてセラミック基板を用いることができる。
【００２５】
あるいは、セラミック基板よりも安価な金属板を基板３１として用いてもよい。実施形態では、アルミニウムや銅に比べて、セラミック基板との間の熱膨張率差が小さい鉄の基板３１を用いている。基板３１は、中心角側の角部がカットされた略扇形の平面形状を有する。
【００２６】
ＬＥＤ素子３２は、光の放出面を基板３１の実装面の反対側に向けて実装面に実装される。基板３１の実装面の反対側の裏面は、本体２の光源取付面１１に接触される。
【００２７】
基板３１には、一対の貫通孔３４が形成されている。貫通孔３４は、図２に示す光源取付面１１の放射方向に並んだ一対のネジ孔２４に位置合わせされる。
【００２８】
図５は、例えば６個のＬＥＤモジュール３を光源取付面１１に取り付けたレイアウトを表す。
【００２９】
光源取付面１１の外形は円形に形成されている。６個のＬＥＤモジュール３は、光源取付面１１の中心のまわりの周方向に沿って等間隔で並べられている。
【００３０】
各ＬＥＤモジュール３の貫通孔３４は、光源取付面１１に形成された図２に示すネジ孔２４に位置合わせされる。そして、貫通孔３４を通してネジ孔２４にねじ込まれるネジによって、後述する反射板４と共にＬＥＤモジュール３は光源取付面１１に共締めされる。
【００３１】
次に、図６（ａ）及び（ｂ）を参照して、反射板４について説明する。
【００３２】
反射板４には、反射板４の表裏を貫通する複数の光ガイド孔８０が形成されている。そして、図６（ｂ）に示すように、光ガイド孔８０からＬＥＤモジュール３のＬＥＤ素子３２を臨ませた状態で、反射板４はＬＥＤモジュール３に重ね合わされる。
【００３３】
反射板４は、ＬＥＤ素子３２から放出される光に対する反射性を有する白色樹脂の成型品である。反射板４の表面及び光ガイド孔８０の内周面には、反射膜が形成されている。反射膜は、ＬＥＤ素子３２から放出される光に対する反射性を有し、例えば蒸着法により形成されたアルミニウム膜を用いることができる。
【００３４】
また、反射板４にはネジ孔８５が形成され、そのネジ孔８５は、前述したＬＥＤモジュール３の基板３１に形成された貫通孔３４に合わされ、基板３１と反射板４とは共通のネジ７０（図６（ｂ））で、光源取付面１１に対して共締め固定される。
【００３５】
すなわち、反射板４のネジ孔８５及びＬＥＤモジュール３の貫通孔３４を通して、図６（ｂ）に示すネジ７０が図２に示す光源取付面１１のネジ孔２４にねじ込まれることで、反射板４及びＬＥＤモジュール３は光源取付面１１に固定される。このとき、反射板４の裏面側に設けられた図示しない突出部が、基板３１を光源取付面１１に対して押圧する。
【００３６】
したがって、基板３１の裏面は光源取付面１１に接触し、ＬＥＤの発光に伴う熱は、基板３１及び光源取付面１１を通じて、光源取付面１１の反対側に設けられた放熱フィン１５に伝わり、空間へと放熱される。
【００３７】
実施形態のＬＥＤ照明器具１は、アングル６を介して、天井から吊り下げられる。あるいは、アングル６は天井から吊り下げられた昇降部に取り付けることもできる。
【００３８】
図３、図４（ａ）及び（ｂ）に示すように、本体２の放熱フィン１５側であって、且つ本体２の外周側に、一対のアングル取付部７５が設けられている。一対のアングル取付部７５は、本体２の中心を通り直径方向に延びる直線の両端位置に設けられている。アングル取付部７５は、板状に形成され、放熱フィン１５と同じＺ方向に突出し、放熱フィン１５に対して平行に並んでいる。すなわち、アングル取付部７５は、放熱フィン１５と同じＹ方向に延びている。
【００３９】
アングル取付部７５には、アングル取付孔７２が形成されている。アングル取付孔７２は、アングル取付部７５を貫通するネジ孔であり、そのネジ孔の軸方向は、光源取付面１１に対して平行であり、且つ放熱フィン１５の延在方向（Ｙ方向）に対して垂直である。
【００４０】
また、アングル取付部７５には、アングル支持突部７１が設けられている。アングル支持突部７１は、アングル取付孔７５よりもアングル取付部７５の先端側（図３、４（ａ）及び（ｂ）において上方）に設けられている。アングル取付孔７２とアングル支持突部７１は、アングル取付部７５における幅方向（Ｙ方向）の位置を一致させて、アングル取付部７５の突出方向（Ｚ方向）に並んでいる。
【００４１】
アングル支持突部７１は、アングル取付孔７２の軸方向に対して平行な方向であって、本体２の直径方向の外側に突出している。アングル支持突部７１は、内周壁に雌ねじが形成された筒状に形成されている。
【００４２】
図１に示すように、アングル６は、一対の縦板部６２と、一対の縦板部６２の間をつなぐ横板部６１とを有し、それら縦板部６２と横板部６１とは一体に設けられている。
【００４３】
横板部６１は、電源ユニット５の上方で、電源ユニット５の長手方向（Ｘ方向）に延びている。縦板部６２は、横板部６１の長手方向の両端から、本体２のアングル取付部７５
【００４４】
に向けて延び、アングル取付部７５の外側の面に接触して重ねられている。
【００４５】
縦板部６２には、貫通孔６２ａと長孔６２ｂが形成されている。貫通孔６２ａと長孔６２ｂは共に縦板部６２を貫通している。貫通孔６２ａには、アングル支持突部７１が遊嵌する。すなわち、貫通孔６２ａの直径は、アングル支持突部７１の外径よりもわずかに大きい。
【００４６】
長孔６２ｂは、貫通孔６２ａよりも縦板部６２の先端側に、弧状に形成されている。長孔６２ｂの軌跡は、貫通孔６２ａの中心を中心とする円の円周の一部である。アングル支持突部７１が貫通孔６２ａに遊嵌した状態で、長孔６２ｂは、図４（ａ）に示すアングル取付孔７２に重なり、アングル取付孔７２は長孔６２ｂから露出する。
【００４７】
長孔６２ｂを貫通してアングル取付孔７２にねじ込まれたボルト５１により、アングル６の縦板部６２が本体２のアングル取付部７５に対して固定される。ボルト５１の頭部の外径は、長孔６２ｂの幅よりも大きく、縦板部６２をしっかりとアングル取付部７５に対して押圧することができる。
【００４８】
アングル支持突部７１の外周側には、貫通孔６２ａよりも直径が大きなリング状の抜け止め部材５３が設けられている。抜け止め部材５３は、筒状のアングル支持突部７１のネジ孔７１ａに対して着脱自在な抜け止めボルト５２に設けられている。
【００４９】
したがって、アングル６を本体２に対して取り付ける、あるいは取り外すときには、抜け止めボルト５２をアングル支持突部７１から外すことで、縦板部６２の貫通孔６２ａにアングル支持突部７１を遊嵌させることができる。
【００５０】
そして、アングル６が本体２に対して取り付けられた状態では、抜け止めボルト５２をアングル支持突部７１のネジ孔７１ａにねじ込む。これにより、抜け止め部材５３が、貫通孔６２ａからのアングル支持突部７１の抜けを防止する。
【００５１】
アングル支持突部７１及びアングル取付孔７２が設けられたアングル取付部７５は、光源取付面１１の反対側であって、且つ本体２の外周側に設けられている。アングル６の縦板部６２は光源取付面１１の反対側に延び、横板部６１は光源取付面１１の反対側で本体２の上方を横切っている。したがって、アングル６は、ＬＥＤモジュール３から放出される光を遮蔽しない。また、縦板部６２は放熱フィン１５よりも外側に設けられ、放熱フィン１５間の空気の流れを妨げない。
【００５２】
例えば体育館などの高天井に取り付けられる照明器具は大型で重量が大きい。そのため、そのような照明器具を天井に直接取り付けるためには、照明器具側の取付部の強度を確保するためにその取付部を厚くする必要がある、これは、照明器具全体の重量の増大をまねき、また重くなると施工も困難になる。
【００５３】
これに対して、本実施形態では、天井や昇降部などにはアングル６を取り付け、そのアングル６に対して本体２を吊り下げることで、天井などに対する取付部分の強度を確保しつつ、本体２の軽量化を図れる。
【００５４】
また、アングル６の縦板部６２は、本体２に設けられたアーム取付部７５の外面に対して面接触して重ね合わされる。これにより、本体２側からアングル６への熱伝導率を向上させることができ、アングル６を通じた放熱性を高めることができる。すなわち、アングル６を、ＬＥＤ照明器具１を天井などに取り付けるための取付部材としてだけではなく、放熱部材としても機能させることができる。
【００５５】
アングル６の、横板部６１及び縦板部６２は、強度を確保する観点から例えば鉄などの金属板からなる。その金属板の表面に、金属板の材料よりも輻射率（放熱性）が高い皮膜を形成することで、アングル６の放熱性をより高くすることができる。
【００５６】
図１に示すように、横板部６１には、複数の取付孔６１ａ、６１ｂ、６１ｃが、横板部６１を貫通して形成されている。また、横板部６１には、電源ユニット５と、天井に設けられた電源ボックスや制御ボックスとの間を接続するための電気ケーブルを通すための貫通孔６１ｄが形成されている。
【００５７】
例えば、図８（ａ）に示すように、天井１００には、２本のアンカーボルト１０１が施工される。アングル６の横板部６１における例えば一対の取付孔６１ａにアンカーボルト１０１を通し、横板部６１の上面を天井１００に接触させる。横板部６１を貫通したアンカーボルト１０１には、例えば２つのナット１０２が締結される。すなわち、ＬＥＤ照明器具１は、アングル６を介して天井から２点吊りされる。
【００５８】
図１に示す一対の取付孔６１ａよりも狭いピッチの一対の取付孔６１ｂを使えば、より狭いピッチでの２点吊りに対応できる。
【００５９】
実施形態によれば、本体２のアングル支持突部７１を支点にして、アングル６を傾動させることができる。したがって、図７に示すように、ＬＥＤ照明器具１を、鉛直方向（図７において上下方向）に対して傾斜した天井１００に取り付けても、光放出面を水平に維持することが可能になる。あるいは、水平天井に取り付けた場合でも、アングル６を傾動させることで、光放出面が向く方向を調整できる。
【００６０】
本体２のアングル取付孔７２にねじ込まれたボルト５１を緩めれば、アングル支持突部７１を支点にしてアングル６を傾動させることができる。アングル６の傾動に伴って、アングル取付孔７２は縦板部６２の長孔６２ｂの長手方向に沿って相対移動する。そして、アングル６を本体２に対して任意の角度に傾けて、長孔６２ｂを通してボルト５１をアングル取付孔７２にねじ込むことで、その角度でアングル６を固定することができる。
【００６１】
また、実施形態によれば、ＬＥＤ照明器具１が天井に吊り下げられた状態でアングル６の角度を調整するとき、ボルト５１を過度に緩めても、あるいはボルト５１を外してしまっても、縦板部６２の貫通孔６２ａにアングル支持突部７１が遊嵌しているため、アングル６から本体２が吊り下げられた状態を維持できる。すなわち、誤って本体２を落下させてしまうことを防止できる。
【００６２】
また、実施形態によれば、ＬＥＤ照明器具１の１点吊りにも対応可能である。
【００６３】
大光束の照明器具では、大型の放熱体が求められ、照明器具全体が大型化し且つ重くなる。そのような大型で重い照明器具を１本のボルトで１点吊りした場合、例えば地震による水平方向の振動に耐えられず、アングルの破損が懸念される。
【００６４】
そこで、図９に示す補強金具９０を、アングル６の横板部６１に取り付けた状態で１点吊りすることで、水平方向の耐振動性能を高めることができる。
【００６５】
補強金具９０は、平板部９１と、一対の側板部９２とを有する。平板部９１の外径形状は矩形状に形成されている。平板部９１には、複数の貫通孔９３ａ〜９３ｆが形成されている。平板部９１の長手方向の長さは、アングル６の横板部６１の長手方向の長さよりも短い。平板部９１の幅は、横板部６１の幅よりもわずかに大きい。
【００６６】
平板部９１の幅方向の両縁部に、側板部９２が一体に設けられている。側板部９２は、平板部９１における一方の面側に突出している。例えば、矩形状の金属の板材の幅方向の両端部を折り曲げ加工することによって、補強金具９０が得られる。
【００６７】
図８（ｂ）は、天井面１００ａから露出した電源ボックス１２０に、ＬＥＤ照明器具１を取り付けた形態を示す。
【００６８】
この場合、側板部９２の突出方向を下方に向けて、平板部９１をアングル６の横板部６１の上面に重ね合わせる。補強金具９０の平板部９１の上面は、電源ボックス１２０に接触させる。平板部９１の上面と電源ボックス１２０とは面接触して、ＬＥＤ照明器具１の安定性が高まる。
【００６９】
補強金具９０の一対の貫通孔９３ａは、図１に示す横板部６１の一対の取付孔６１ａに合わされる。そして、平板部９１の上面側から図８（ｂ）に示すボルト１０４が貫通孔９３ａ及び取付孔６１ａを貫通し、そのボルト１０４にナット１０５が締結される。これにより、補強金具９０はアングル６の横板部６１に対して固定される。
【００７０】
また、補強金具９０の貫通孔９３ｃは、横板部６１の取付孔６１ｃ（図１）に合わされる。そして、天井１００に設けられたアンカーボルト１０３は、それら貫通孔９３ｃ及び取付孔６１ｃを貫通する。貫通孔９３ｃ及び取付孔６１ｃを貫通したアンカーボルト１０３にはナット１０２が締結される。これにより、補強金具９０及びアングル６は天井１００に対して固定される。
【００７１】
次に、図８（ｃ）は、天井１００の内部に設けられた電源ボックス１２１に、ＬＥＤ照明器具１を取り付けた形態を示す。
【００７２】
天井１００の下方に電源ボックス１２１が露出していない場合、補強金具９０の上面を電源ボックス１２１に面接触させることができない。この場合において、図８（ｂ）のように補強金具９０を横板部６１に対して取り付けると、補強金具９０の上方に飛び出たボルト１０４の頭部が天井面１００ａに点接触し、ＬＥＤ照明器具の安定性が損なわれる。
【００７３】
そこで、天井１００の下方に電源ボックス１２１が露出していない場合には、図８（ｂ）のときとは補強金具９０を反転させてアングル６の横板部６１に取り付ける。すなわち、側板部９２の突出方向を上方に向けて、平板部９１を横板部６１の上面に重ね合わせる。図８（ｂ）において平板部９１の上面になっていた面が、図８（ｃ）においては平板部９１の下面として横板部６１の上面に重ねられる。
【００７４】
補強金具９０の側板部９２は、ボルト１０４の頭部よりも上方に突出し、その側板部９２の上端を天井面１００ａに接触させる。側板部９２の上端と天井面１００ａとの接触は、ボルト１０４と天井面１００ａとの点接触よりも接触面積が大きく、ＬＥＤ照明器具の安定性を高くすることができる。
【００７５】
図８（ｃ）の場合も、補強金具９０の貫通孔９３ｃは、横板部６１の取付孔６１ｃに合わされる。そして、天井１００に設けられたアンカーボルト１０３は、それら貫通孔９３ｃ及び取付孔６１ｃを貫通する。貫通孔９３ｃ及び取付孔６１ｃを貫通したアンカーボルト１０３にはナット１０２が締結される。これにより、補強金具９０及びアングル６は天井１００に対して固定される。
【００７６】
なお、補強金具９０に形成された２つの貫通孔９３ｄ及び９３ｅのうちの一方は、図８（ｂ）の状態で、横板部６１の貫通孔６１ｄに合わされ、電気ケーブルが通される。貫通孔９３ｄ及び９３ｅのうちの他方は、図８（ｂ）の状態から補強金具９０を反転させた図８（ｃ）の状態で、横板部６１の貫通孔６１ｄに合わされ、上記電気ケーブルが通される。
【００７７】
図８（ａ）の取付形態および図８（ｂ）の取付形態のいずれの場合でも、アングル６の横板部６１が補強金具９０によって補強されているため、１点吊りにおける水平方向の振動に対する耐性を高めることができる。
【００７８】
また、図９に示す貫通孔９３ｂの横に貫通孔９３ｂにつながって形成された長孔９３ｆは、図１に示す横板部６１における取付孔６１ｂの横に取付孔６１ｂにつながって形成された長孔６１ｅに合わされる。
【００７９】
それら長孔９３ｆ、６１ｅには、天井に設けられた図示しない軸部材が通される。これにより、１点吊りの場合におけるアンカーボルトを中心にしたＬＥＤ照明器具の回転を防ぐことができる。
【００８０】
また、図１に示す横板部６１に形成された４つの取付孔６１ｆには、天井から吊り下げられた図示しない昇降部をネジ止めすることができる。
【００８１】
また、図１０に示すガード６４を、図１１に示すように本体２の光源側に取り付けると、ＬＥＤ照明器具１を例えば体育館の天井に取り付けた場合に、光源をボールの衝突などから防ぐことができる。
【００８２】
ガード６４は、外枠６５と、外枠６５の内側に設けられた内枠６６とを有する。
【００８３】
外枠６５は、リング部６７と、リング部６７の外周縁部に設けられた側面部６８とを有する。側面部６８は、リング部６７の一方の面側に突出している。
【００８４】
側面部６８には、２つの取付金具７８が設けられている。２つの取付金具７８は、外枠６５の中心まわりに例えば１８０°間隔で配置されている。取付金具７８は、側面部６８から内周側に張り出して設けられ、図１０において時計方向側の端部が下方に（リング部６７側に）折れ曲がっている。
【００８５】
また、側面部６８には、ネジ孔６９ａが形成された２つの取付部６９が設けられている。取付部６９は、周方向における２つの取付金具７８の間の位置で、側面部６８から内周側に張り出して設けられている。
【００８６】
本体２のリム１４には、外周側に張り出した４つのガード取付部１７が設けられている。４つのガード取付部１７は、周方向に９０°間隔で配置されている。ガード取付部１７には、ガード取付部１７を貫通する取付孔１７ａが形成されている。
【００８７】
次に、図１２（ａ）及び（ｂ）を参照して、本体２に対するガード６４の取り付け方法について説明する。
【００８８】
図１２（ｂ）に示すように、ガード６４の取付部６９は、本体２のガード取付部１７の下に重ねられる。このとき、ガード６４の取付金具７８の下面が、本体２のガード取付部１７の上に載ることで、ガード６４を落下させることなく、本体２に対して位置決めすることができる。
【００８９】
ガード６４を本体２に対して、図１２（ａ）において反時計方向に回して、取付金具７８の下方に折れ曲がった部分を、本体２のガード取付部１７の端部１７ｂに突き当てる。
【００９０】
これにより、取付金具７８がガード取付部１７上に支持されると共に、図１２（ｂ）に示すようにガード取付部１７の下にガード６４の取付部６９が位置合わせされる。
【００９１】
そして、図１２（ｂ）に示すネジ１３０を、ガード取付部１７の取付孔１７ａを通して、取付部６９の取付孔６９ａにねじ込むことで、ガード６４が本体２に対して固定される。
【００９２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
１…ＬＥＤ照明器具、２…本体、３…ＬＥＤモジュール、４…反射板、５…電源ユニット、６…アングル、１１…光源取付面、１５…放熱フィン、３１…基板、５３…抜け止め部材、６１…横板部、６２…縦板部、６２ｂ…長孔、７１…アングル支持突部、７２…アングル取付孔、７５…アングル取付部、８０…光ガイド孔
【図１】
2015213092.tif 000003
【図２】
2015213092.tif 000004
【図３】
2015213092.tif 000005
【図４】
2015213092.tif 000006
【図５】
2015213092.tif 000007
【図６】
2015213092.tif 000008
【図７】
2015213092.tif 000009
【図８】
2015213092.tif 000010
【図９】
2015213092.tif 000011
【図１０】
2015213092.tif 000012
【図１１】
2015213092.tif 000013
【図１２】
2015213092.tif 000014